(57)【要約】【課題】接続管部は上記籾殻収集部の排気口から上記集塵部の導入口に向かうに従って次第に細くなる先細テーパー管状に形成されているから、接続管部内を通過する含塵空気の流速が大きくなり、含塵空気の流速及び集塵部のサイクロン器体内への噴出圧力は大きくなってサイクロン構造の集塵部内に導入され、集塵部におけるサイクロン作用が良好になされ、集塵部により含塵空気は塵埃と空気とに確実に選別することができる。【解決手段】接続管部３は籾殻収集部１の排気口１ｄから集塵部２の導入口２ｃに向かうに従って次第に細くなる先細テーパー管状に形成されている。【選択図】図１
2015093245.tif 000002
【特許請求の範囲】
【請求項１】
籾摺機の籾殻排出口に接続され、該籾殻排出口から排出される籾殻を籾殻収集袋に収集すると共に含塵空気を排気口から排出する籾殻収集部と、該籾殻収集部の排気口に接続され、該排気口から排出される含塵空気を導入口から導入し、該含塵空気を塵埃と空気とに選別し、該塵埃を集塵袋に捕集すると共に空気を排出するサイクロン構造の集塵部と、該籾殻収集部の排気口と該集塵部の導入口とを接続する接続管部とを備えてなり、上記接続管部は上記籾殻収集部の排気口から上記集塵部の導入口に向かうに従って次第に細くなる先細テーパー管状に形成されていることを特徴とする籾殻収集機。
【請求項２】
上記先細テーパー管状の接続管部の内底面部分は水平状に形成されていることを特徴とする請求項１記載の籾殻収集機。
【請求項３】
上記先細テーパー管状の接続管部の内底面部分は上記籾殻収集部の排気口から上記集塵部の導入口に向かうに従って次第に下がる先下がり状に形成されていることを特徴とする請求項１記載の籾殻収集機。
【発明の詳細な説明】
【技術分野】
【０００１】
本発明は籾摺機の籾殻排出口から排出される籾殻を籾殻収集袋に収集する籾殻収集機に関するものである。
【背景技術】
【０００２】
従来、この種の籾殻収集機として、籾摺機の籾殻排出口から排出される籾殻を籾殻収集袋に収集する構造のものが知られている。
【先行技術文献】
【特許文献】
【０００３】
【特許文献１】実開昭６０−４２３５０号公報
【発明の概要】
【発明が解決しようとする課題】
【０００４】
しかしながら上記従来構造の場合、上記籾摺機の籾殻排出口からは籾殻及び葉屑や穀桿屑等の塵埃が一緒に排出され、籾殻と塵埃とを選別し、籾殻は籾殻収集袋に収集し、塵埃は外部に排出する構造であり、このため、付近に塵埃を撒き散らすおそれがあり、作業環境を低下したり、作業者の健康を害したりするおそれがあるという不都合を有している。
【課題を解決するための手段】
【０００５】
本発明はこのような不都合を解決することを目的とするもので、本発明のうちで、請求項１記載の発明は、籾摺機の籾殻排出口に接続され、該籾殻排出口から排出される籾殻を籾殻収集袋に収集すると共に含塵空気を排気口から排出する籾殻収集部と、該籾殻収集部の排気口に接続され、該排気口から排出される含塵空気を導入口から導入し、該含塵空気を塵埃と空気とに選別し、該塵埃を集塵袋の捕集すると共に空気を排出するサイクロン構造の集塵部と、該籾殻収集部の排気口と該集塵部の導入口とを接続する接続管部とを備えてなり、上記接続管部は上記籾殻収集部の排気口から上記集塵部の導入口に向かうに従って次第に細くなる先細テーパー管状に形成されていることを特徴とする籾殻収集機にある。
【０００６】
又、請求項２記載の発明は、上記先細テーパー管状の接続管部の内底面部分は水平状に形成されていることを特徴とするものであり、又、請求項３記載の発明は、上記先細テーパー管状の接続管部の内底面部分は上記籾殻収集部の排気口から上記集塵部の導入口に向かうに従って次第に下がる先下がり状に形成されていることを特徴とするものである。
【発明の効果】
【０００７】
本発明は上述の如く、請求項１記載の発明にあっては、上記籾殻収集部は籾摺機の籾殻排出口から排出される籾殻を籾殻収集袋に収集すると共に含塵空気を排気口から排出し、含塵空気は接続管部を介してサイクロン構造の集塵部の導入口に導入され、含塵空気はサイクロン構造の集塵部により塵埃と空気とに選別され、塵埃は集塵袋に捕集され、空気は外方に排出され、これにより籾殻は籾殻収集袋に収集され、塵埃は集塵袋に捕集され、選別浄化された空気は外方に排出されることになり、付近に塵埃を撒き散らすことを防いで、籾殻を籾殻収集袋に収集することができ、作業環境を向上することができ、この際、上記接続管部は上記籾殻収集部の排気口から上記集塵部の導入口に向かうに従って次第に細くなる先細テーパー管状に形成されているから、接続管部内を通過する含塵空気の流速が大きくなり、含塵空気の流速及び集塵部のサイクロン器体内への噴出圧力は大きくなってサイクロン構造の集塵部内に導入され、集塵部におけるサイクロン作用が良好になされ、集塵部により含塵空気は塵埃と空気とに確実に選別することができ、外方に排出される空気の浄化が確実になされ、作業環境を向上することができる。
【０００８】
又、請求項２記載の発明にあっては、上記先細テーパー管状の接続管部の内底面部分は水平状に形成されているから、接続管部内を通過する含塵空気中の塵埃を接続管部の内底面部分に滞留させることなく確実に排出することができ、塵埃の集塵効率を向上することができ、又、請求項３記載の発明にあっては、上記先細テーパー管状の接続管部の内底面部分は上記籾殻収集部の排気口から上記集塵部の導入口に向かうに従って次第に下がる先下がり状に形成されているから、接続管部内を通過する含塵空気中の塵埃を接続管部の内底面部分に滞留させることなく確実に排出することができ、塵埃の集塵効率を向上することができる。
【図面の簡単な説明】
【０００９】
【図１】本発明の実施の第一使用例の使用状態の全体側面図である。
【図２】本発明の実施の第一形態例の側面図である。
【図３】本発明の実施の第一使用例の斜視図である。
【図４】本発明の実施の第一形態例の断面図である。
【図５】本発明の実施の第一形態例の部分分解斜視図である。
【図６】本発明の実施の第一形態例の部分平断面図である。
【図７】本発明の実施の第一形態例の部分側断面図である。
【図８】本発明の実施の第一形態例の部分斜視図である。
【図９】本発明の実施の第二形態例の部分側断面図である。
【発明を実施するための形態】
【００１０】
図１乃至図９は本発明の実施の形態例を示し、図１乃至図８は第一形態例、図９は第二形態例を示している。
【００１１】
図１乃至図８の実施の第一形態例は、図１の如く、大別して、籾殻収集部１と、集塵部２と、接続管部３とから構成されている。
【００１２】
上記籾殻収集部１は、図２、図３、図４の如く、収集筒体１ａをスタンド１ｂにより水平状に横設し、収集筒体１ａの一方端部の導入口１ｃを形成すると共に他方端部を排気口１ｄに形成し、収集筒体１ａの底部に長手方向左右位置にして前後一対の計四個の排出口１ｅ・・を形成し、収集筒体１ａに籾殻Ｍを前後一対の排出口１ｅ・・に分離振分可能な円錐網フィルタ板の上半分形状に形成された半円錐網フィルタ板状の分離部材１ｆを内装し、収集筒体１ａの底部に四個の排出口１ｅ・・に対応して四個の排出管部１ｇ・・を配設し、排出管部１ｇに開閉部材１ｈを開閉摺動自在に配設し、スタンド１ｂに複数個の吊下杆１ｉ・・を設け、複数個の吊下杆１ｉ・・に籾殻収集袋Ｆを四個、吊下支持可能に構成している。
【００１３】
しかして、籾摺機Ｋの籾殻排出口Ｋ１に収集筒体１ａの導入口１ｃを接続パイプＰにより接続し、籾摺機Ｋの籾殻排出口Ｋ１から接続パイプＰを介して籾殻収集部１の導入口１ｃに籾殻Ｍが導入され、収集筒体１ａ内の分離部材１ｆの作用により籾殻Ｍは収集筒体１ａの底部の四個の排出口１ｅ・・及び排出管部１ｇ・・を介して籾殻収集袋Ｆ内に収集され、籾殻Ｍと一緒に籾殻排出口Ｋ１から排出された含塵空気Ｄは排気口１ｄから接続管部３に排出されることになる。
【００１４】
上記集塵部２は、サイクロン構造が採用され、図１、図２、図６、図８の如く、全体として円筒漏斗状のサイクロン器体２ａをスタンド２ｂにより円筒軸線Ｎを上下方向にして縦設し、サイクロン器体２ａの側周面に含塵空気Ｄの導入口２ｃを円筒軸線Ｎに対して偏位してサイクロン器体２ａの内周面の周方向に対してほぼ接線方向に形成し、サイクロン器体２ａの上面に空気Ｑの排出口２ｄが形成され、サイクロン器体２ａの下面に塵埃落下口２ｅが形成され、所謂、サイクロン構造が採用され、塵埃落下口２ｅに袋支持部２ｆにより集塵袋Ｓが吊下支持され、排出口２ｄに導出筒２ｇを配設し、導出筒２ｇに合成樹脂製の可撓性筒材２ｈを垂下し、可撓性筒材２ｈの下端部に内部に水２ｉを入れた水容器２ｊを臨設し、サイクロン器体２ａの上面の排出口２ｄから排気される空気Ｑ内に残存する細かな塵埃Ｇを水容器２ｊ内に捕集するように構成している。
【００１５】
しかして、上記接続管部３からサイクロン器体２ａの導入口２ｃに導入された含塵空気Ｄに円筒漏斗状のサイクロン器体２ａの内周面形状により旋回運動が付与され、これにより、いわゆるサイクロン作用がなされ、葉屑や穀桿屑等の夾雑物を含む塵埃Ｇに作用する遠心力によって、これら塵埃Ｇは旋回しつつ自重により下方に落下し、塵埃Ｇは塵埃落下口２ｅを介して集塵袋Ｓ内に捕集され、一方、空気Ｑはサイクロン器体２ａの上面に形成された排出口２ｄを介して導出筒２ｇにより上方から下方に迂回案内して排気され、含塵空気Ｄは塵埃Ｇと空気Ｑに選別され、空気Ｑ内に含まれている細かな塵埃Ｇは導出筒２ｇの下端部に臨設した水容器２ｊ内の水２ｉに落下し、水容器２ｊ内に捕集されることになる。
【００１６】
上記接続管部３は、図４、図５、図７の如く、上記籾殻収集部１の排気口１ｄと集塵部２の導入口２ｃとを接続する管状に形成され、接続管部３は上記籾殻収集部１の排気口１ｄから上記集塵部２の導入口２ｃに向かうに従って次第に細くなる先細テーパー管状に形成され、すなわち、入口側Ｒ１の穴の断面積Ａ１と出口側Ｒ２の穴の断面積Ａ２とはＡ１>Ａ２の関係に設定され、かつ、この場合、上記先細テーパー管状の接続管部３の内底面部分３ａは水平線Ｈに合致する水平状に形成され、管軸線Ｏは水平入口軸線から斜め中間軸線を経て水平出口軸線となる折れ線状を呈している。
【００１７】
この実施の第一形態例は上記構成であるから、図１の如く、籾摺機Ｋの籾殻排出口Ｋ１に収集筒体１ａの導入口１ｃを接続パイプＰにより接続し、籾摺機Ｋの籾殻排出口Ｋ１から接続パイプＰを介して籾殻収集部１の導入口１ｃに籾殻Ｍが排風と共に強制導入され、収集筒体１ａ内の分離部材１ｆの作用により籾殻Ｍは収集筒体１ａの底部の四個の排出口１ｅ・・及び排出管部１ｇ・・を介して籾殻収集袋Ｆ内に収集され、この籾殻Ｍと一緒に籾殻排出口Ｋ１から排出された含塵空気Ｄは排気口１ｄから接続管部３に排出され、含塵空気Ｄは接続管部３を介してサイクロン構造の集塵部２のサイクロン器体２ａの導入口２ｃに導入され、サイクロン器体２ａ内において、含塵空気Ｄに円筒漏斗状のサイクロン器体２ａの内周面形状により旋回運動が付与され、これにより、いわゆるサイクロン作用がなされ、葉屑や穀桿屑等の夾雑物を含む塵埃Ｇに作用する遠心力によって、これら塵埃Ｇは旋回しつつ自重により下方に落下し、塵埃Ｇは塵埃落下口２ｅを介して集塵袋Ｓ内に捕集され、一方、空気Ｑはサイクロン器体２ａの上面に形成された排出口２ｄに排出され、空気Ｑは排出口２ｄを介して導出筒２ｇにより上方から下方に迂回案内して排気され、含塵空気Ｄは塵埃Ｇと空気Ｑに選別され、空気Ｑ内に含まれている細かな塵埃Ｇは導出筒２ｇの下端部に臨設した水容器２ｊ内の水２ｉに落下し、水容器２ｊ内に捕集されることになる。
【００１８】
したがって、上記籾殻収集部１は籾摺機Ｋの籾殻排出口Ｋ１から排出される籾殻Ｍを籾殻収集袋Ｆに収集すると共に含塵空気Ｄを排気口１ｄから排出し、含塵空気Ｄは接続管部３を介してサイクロン構造の集塵部２の導入口２ｃに導入され、含塵空気Ｄはサイクロン構造の集塵部２によりを塵埃Ｇと空気Ｑとに選別され、塵埃Ｇは集塵袋Ｓに捕集され、空気Ｑは外方に排出され、これにより籾殻Ｍは籾殻収集袋Ｆに収集され、塵埃Ｇは集塵袋Ｓに捕集され、選別浄化された空気Ｑは外方に排出されることになり、付近に塵埃Ｇを撒き散らすことを防いで、籾殻Ｍを籾殻収集袋Ｆに収集することができ、作業環境を向上することができる。
【００１９】
この際、図４、図５、図７の如く、上記接続管部３は上記籾殻収集部１の排気口１ｄから上記集塵部２の導入口２ｃに向かうに従って次第に細くなる先細テーパー管状に形成されているから、接続管部３内を通過する含塵空気Ｄの流速が大きくなり、含塵空気Ｄの流速及び集塵部２のサイクロン器体２ａ内への噴出圧力は大きくなってサイクロン構造の集塵部２内に導入され、集塵部２におけるサイクロン作用が良好になされ、集塵部２により含塵空気Ｄは塵埃Ｇと空気Ｑとに確実に選別することができ、外方に排出される空気Ｑの浄化が確実になされ、作業環境を向上することができる。
【００２０】
この場合、図４、図５、図７の如く、上記先細テーパー管状の接続管部３の内底面部分３ａは水平状に形成されているから、図示省略しているが、径大部から径小部へと次第に先細りの所謂、管軸線Ｏが水平線Ｈに合致するテーパー管状の接続管部３とした場合、その内底面部分３ａは先上がり状に形成されるから、塵埃Ｇが先上がり状の内底面部分３ａに滞留するおそれがあり、この管軸線Ｏが水平線Ｈに合致するテーパー管状の接続管部３に比べ、接続管部３内を通過する含塵空気Ｄ中の塵埃Ｇを接続管部３の内底面部分３ａに滞留させることなく確実に排出することができ、塵埃Ｇの集塵効率を向上することができる。
【００２１】
図９の第二形態例は別例構造を示し、この場合、上記第一形態例と同様に、接続管部３は上記籾殻収集部１の排気口１ｄから上記集塵部２の導入口２ｃに向かうに従って次第に細くなる先細テーパー管状に形成され、すなわち、入口側Ｒ１の穴の断面積Ａ１と出口側Ｒ２の穴の断面積Ａ２とはＡ１>Ａ２の関係に設定され、上記先細テーパー管状の接続管部３の内底面部分３ａは水平線Ｈに対して上記籾殻収集部１の排気口１ｄから上記集塵部２の導入口２ｃに向かうに従って次第に下がる下がり角度θの先下がり状に形成され、管軸線Ｏは水平入口軸線から斜め中間軸線を経て水平出口軸線となる折れ線状を呈している。
【００２２】
この実施の第二形態例にあっては、上記第一形態例と同様な作用効果を得ることができると共に、上記先細テーパー管状の接続管部３の内底面部分３ａは上記籾殻収集部１の排気口１ｄから上記集塵部２の導入口２ｃに向かうに従って次第に下がる先下がり状に形成されているから、上記第一形態例と同様、図示省略しているが、径大部から径小部へと次第に先細りの所謂、管軸線Ｏが水平線Ｈに合致するテーパー管状の接続管部３とした場合、その内底面部分３ａは先上がり状に形成されるから、塵埃Ｇが先上がり状の内底面部分３ａに滞留するおそれがあり、管軸線Ｏが水平線Ｈに合致するテーパー管状の接続管部３に比べ、接続管部３内を通過する含塵空気Ｄ中の塵埃Ｇを接続管部３の内底面部分３ａに滞留させることなく確実に排出することができ、塵埃Ｇの集塵効率を向上することができる。
【００２３】
尚、本発明は、上記実施の形態例に限られるものではなく、籾殻収集部１、集塵部２、接続管部３の構造等は適宜変更して設計される。
【００２４】
以上の如く、所期の目的を充分達成することができる。
【符号の説明】
【００２５】
Ｍ    籾殻
Ｆ    籾殻収集袋
Ｋ    籾摺機
Ｋ１    籾殻排出口
Ｄ    含塵空気
Ｓ    集塵袋
Ｇ    塵埃
Ｑ    空気
１    籾殻収集部
１ｄ    排気口
２    集塵部
２ｃ    導入口
３    接続管部
３ａ    内底面部分
【図１】
2015093245.tif 000003
【図２】
2015093245.tif 000004
【図３】
2015093245.tif 000005
【図４】
2015093245.tif 000006
【図５】
2015093245.tif 000007
【図６】
2015093245.tif 000008
【図７】
2015093245.tif 000009
【図８】
2015093245.tif 000010
【図９】
2015093245.tif 000011